(57)【特許請求の範囲】
【請求項１】
看板本体が着脱自在に装着される枠部と、
前記枠部を傾斜させた状態で支持する脚部と、
設置面としての地面と前記枠部との間に介在して、前記設置面に接触する複数の車輪部とを備え、
前記枠部の内側に、人を載置又は収容可能な空間が設けられ、
前記複数の車輪部が、前記内側に人が載置又は収容された前記枠部を支持した状態で、前記設置面に沿って回転可能に設けられている救護器具兼用看板立て。
【請求項２】
前記枠部は、上下方向に傾斜を有して延びて当該枠部の両側部を形成する２本の縦桟と、当該各縦桟の上端を連結する横桟とを有し、
前記脚部は、鉛直方向に延びて、その上端部が前記枠部の前記縦桟に取り付けられて前記枠部と前記設置面との間に位置する４本の支柱部材を有し、前記枠部を前記設置面から離間させかつ傾斜させた状態で支持し、当該支柱部材の下端部には、前記複数の車輪部が取り付けられ、
前記脚部の前記支柱部材のうち、異なる前記縦桟に取り付けられた前記支柱部材同士であって、前記縦桟における同一高さ位置にその上端部が取り付けられている前記支柱部材同士の間が、棒状の保持部材により連結されることで、当該保持部材が前記縦桟間に高さを異ならせて２本設けられ、
前記２本の保持部材は、前記枠部の内側の空間に配置され、前記２本の保持部材の間に、着座用の部材が取り付け可能とされている請求項１に記載の救護器具兼用看板立て。
【請求項３】
前記２本の保持部材のうち、高い位置に配置されている方の前記保持部材が取り付けられている２本の前記支柱部材は、当該保持部材の取付位置よりも上方となる位置に、水平方向に延在するシート部材が架け渡し可能とされている請求項２に記載の救護器具兼用看板立て。
【請求項４】
前記枠部は、上下方向に延びて当該枠部の両側部を形成する２本の縦桟と、当該各縦桟の上端を連結する横桟とを少なくとも有し、
前記脚部は、第１脚部と第２脚部とを備え、
前記第１脚部は、前記枠部の前記２本の縦桟のそれぞれに上端部が取り付けられた補強部材と、当該補強部材の下端部が一端部に取り付けられ、他端部が前記枠部の前記縦桟に取り付けられて前記補強部材を支持する支持部材とを備え、前記補強部材及び前記支持部材は、前記枠部と設置面の間に介在して、下端部が前記設置面に接触して傾斜姿勢となっている前記枠部を支持して、前記枠部を前記設置面上に起立させ、
前記第２脚部は、その上端部が、前記枠部の前記２本の縦桟のそれぞれに、前記補強部材の取付位置から離れた位置であって、前記支持部材の取付位置とは反対側となる位置に回動自在に取り付けられ、
前記看板本体が取り外された状態のときに、前記枠部の少なくとも前記２本の縦桟に、人体載置用の載置部材が架け渡して取り付け可能とされ、
前記車輪部は、前記支持部材の前記一端部及び前記第２脚部の下端部の最下端に取り付けられ、
前記第２脚部が前記上端部を支点として前記縦桟に対して直交する姿勢まで回動した状態で、前記枠部の前記下端部が前記設置面から離れ、前記枠部が前記設置面に平行となる姿勢まで前記車輪部を回動軸として回動したときに、前記補強部材及び支持部材と前記第２脚部とが前記車輪部を介して前記設置面に対して前記枠部を支持し、この状態で、前記車輪部が前記設置面に沿って回転可能になる請求項１に記載の救護器具兼用看板立て。
【請求項５】
前記複数の車輪部が前記枠部の下端に設けられ、
前記枠部は、上下方向に延びて当該枠部の両側部を形成する２本の縦桟と、当該各縦桟の上端を連結する横桟とを少なくとも有し、
前記脚部は、その上端部が前記枠部の前記２本の縦桟のそれぞれに回動自在に取り付けられた着座用脚部と、当該着座用脚部の下端部に一端部が回動自在に取り付けられて他端部が前記設置面に接触し、前記着座用脚部と直線状に連結して、前記枠部の下端部が前記設置面に接触した状態で前記枠部を傾斜姿勢で支持して前記設置面上に起立させる支持脚部とを備え、
前記着座用脚部を前記枠部に対して直交する姿勢まで回動させた状態のときには、前記支持脚部は、前記着座用脚部と前記枠部の間に介在して、前記着座用脚部を当該姿勢で支持し、
前記着座用脚部であって、少なくとも前記枠部に対して前記直交する姿勢まで回動する部分には、その上に人が着座可能な耐力を有する着座部材が配されている請求項１に記載の救護器具兼用看板立て。
【請求項６】
前記着座用脚部は、その一端部側が前記枠部に対して回動することで、前記支持脚部と直線上に連結された状態で、前記枠部に対して前記着座用脚部及び前記支持脚部が平行な姿勢になるまで姿勢を変更する請求項５に記載の救護器具兼用看板立て。
【請求項７】
前記枠部の前記２本の縦桟であって、前記脚部が取り付けられている側とは反対側となる部分の下端部に、当該下端部に対して回動自在に設けられ、前記２本の縦桟間に架け渡されて延びる補助部材と、
前記補助部材と前記枠部の間に介在して、前記補助部材を前記枠部に対して予め定められた鋭角となる姿勢に保持するストッパー部材と、を備える請求項６に記載の救護器具兼用看板立て。
【発明の詳細な説明】
【技術分野】
【０００１】
本発明は、通常時は看板本体を支持可能とされ、緊急時には救護器具として利用可能な救護器具兼用看板立てに関する。
【背景技術】
【０００２】
近年、防災に対する意識が高まって来ている。例えば、ＡＥＤ（Automated External Defibrillator）が多くの公共施設などに備え付けられ、また緊急時のために担架や車椅子などの救護器具を備えることが望まれている。
【０００３】
ところが、救護器具を保管するスペースを確保できないという問題がよく指摘される。担架を例にとると、一般的な担架は保管スペースを広くとり保管場所が限られる。
【０００４】
このため、特許文献１では、車両内にコンパクトに収納でき、車両事故発生時には標識として用いたり、あるいは負傷者等を乗せる担架として用いたりすることが可能な車両用緊急表示標識装置が提案されている。
【先行技術文献】
【特許文献】
【０００５】
【特許文献１】特開２００１−５５０８５号公報
【発明の概要】
【発明が解決しようとする課題】
【０００６】
しかしながら、上記特許文献１に記載の装置は、車両用に特定されるので、汎用性に欠け、公共施設などに備え付けるのには向いていない。このため、担架や車椅子などの救護器具を平常時から使いやすい状態で装備しておくには、汎用性があって、かつ保管するスペースを容易に確保できるものを、担架などの救護器具として兼用可能にする、という手段が考えられる。
【０００７】
ここで、周知のように看板は、街中の何処にでも設置されている。このような看板は、看板立てにより、歩道などの設置面に立てた状態で設置される。また、看板及び看板立ては、夜間等、使用しない時間帯は、予め用意されている保管場所に収納される。このため、このような看板立てを担架などの救護器具として兼用することができれば、緊急時にすぐに使用でき、また保管場所が確保されているため、救護器具のための保管場所を別個に確保する必要がない。
【０００８】
本発明は、上記の事情に鑑みなされたものであり、緊急時に利用しやすく、汎用性があり、保管するスペースを容易に確保することが可能な救護器具兼用看板立てを提供することを目的とする。
【課題を解決するための手段】
【０００９】
本発明の一局面に係る救護器具兼用看板立ては、看板本体が着脱自在に装着される枠部と、
前記枠部を傾斜させた状態で支持する脚部と、
設置面としての地面と前記枠部との間に介在して、前記設置面に接触する複数の車輪部とを備え、
前記枠部の内側に、人を載置又は収容可能な空間が設けられ、
前記複数の車輪部が、前記内側に人が載置又は収容された前記枠部を支持した状態で、前記設置面に沿って回転可能に設けられているものである。
【発明の効果】
【００１０】
本発明に係る救護器具兼用看板立てによれば、緊急時に利用しやすく、汎用性があり、また、保管するスペースを容易に確保することが可能である。
【図面の簡単な説明】
【００１１】
【図１】本発明の第１実施形態に係る救護器具兼用看板立てを示す斜視図である。
【図２】図１の救護器具兼用看板立てに看板本体を取り付けた状態を示す斜視図である。
【図３】（ａ）、（ｂ）は、図１の救護器具兼用看板立てに看板本体を取り付ける過程を示す斜視図及び側面図である。
【図４】図１の救護器具兼用看板立てに着座用の第１シート及び背もたれ用の第２シートを取り付けた状態を示す斜視図である。
【図５】救護器具兼用看板立ての第１シートに人が座っている状態を示す斜視図である。
【図６】図１の救護器具兼用看板立てに適用された柱状体を示す断面図である。
【図７】本発明の第２実施形態に係る救護器具兼用看板立てを示す斜視図である。
【図８】図７の救護器具兼用看板立てに看板本体を取り付けた状態を示す斜視図である。
【図９】図７の救護器具兼用看板立てに看板本体を取り付ける過程を示す斜視図である。
【図１０】図７の救護器具兼用看板立てをストレッチャーとして用いる状態を示す側面図である。
【図１１】本発明の第３実施形態に係る救護器具兼用看板立てを示す斜視図である。
【図１２】図１１の救護器具兼用看板立てを平板状に畳んだ状態を示す側面図である。
【図１３】図１２の救護器具兼用看板立てに人が寝た状態を示す側面図である。
【図１４】図１１の救護器具兼用看板立てを車椅子として利用可能な状態を示す側面図である。
【図１５】図１４の救護器具兼用看板立てに人が着座した状態を示す側面図である。
【図１６】図１４の救護器具兼用看板立てに人が着座して、階段を昇降している状態を示す側面図である。
【発明を実施するための形態】
【００１２】
以下、本発明の実施形態について図面を参照して説明する。
＜第１実施形態＞
【００１３】
図１は、本発明の第１実施形態に係る救護器具兼用看板立てを示す斜視図である。また、図２は、図１の救護器具兼用看板立てに看板本体を取り付けた状態を示す斜視図である。更に、図３（ａ）、（ｂ）は、図１の救護器具兼用看板立てに看板本体を取り付ける過程を示す斜視図及び側面図である。
【００１４】
図１乃至図３に示すように第１実施形態に係る救護器具兼用看板立て１は、看板本体２が着脱自在に装着される枠部３と、枠部３を設置面から離間させ、かつ傾斜させた状態で支持する脚部４と、脚部４に設けられて、設置面に接する４つのキャスター５とを備えている。
【００１５】
枠部３は、両側の２本の縦桟３ａ、及び各縦桟３ａの上端を連結する横桟３ｂからなるＵ字型のものである。縦桟３ａは、上下方向に傾斜を有して延び、枠部３の両側部を形成する。なお、縦桟３ａの下端には、縦桟３ａ同士を連結する横桟３ｂは設けていない。
【００１６】
脚部４は、２本の短支柱４ａ、２本の長支柱４ｂ、各短支柱４ａの下端部と各長支柱４ｂの下端部を連結する複数の連結桟４ｃ、各短支柱４ａの間に掛け渡された第１保持部材４ｄ、各長支柱４ｂの間に掛け渡された第２保持部材４ｅ、及び各長支柱４ｂの上側に突設されたそれぞれのハンドル４ｆを備えて構成される。なお、短支柱４ａ及び長支柱４ｂは、特許請求の範囲における支柱部材の一例である。
【００１７】
短支柱４ａ及び長支柱４ｂは、鉛直方向に延びて、その上端部が枠部３の縦桟３ａに取り付けられ、枠部３と設置面との間に位置する。短支柱４ａ及び長支柱４ｂは、枠部３を設置面から離間した状態で、かつ傾斜させた状態で支持する。短支柱４ａ及び長支柱４ｂのそれぞれの下端部には、キャスター５が取り付けられている。
【００１８】
各短支柱４ａ及び各長支柱４ｂは、各連結桟４ｃ、第１保持部材４ｄ、及び第２保持部材４ｅを介して連結されて、一体的に支持されている。また、各短支柱４ａの上端部の外側面には、枠部３の各縦桟３ａがねじ止め又はビス止めされている。さらに、各長支柱４ｂの上端部の外側面にも、枠部３の各縦桟３ａがねじ止又はビス止めされ、これにより枠部３が傾斜した状態で支持されている。
【００１９】
脚部４の短支柱４ａ同士の間は保持部材４ｄにより連結され、長支柱４ｂ同士の間は保持部材４ｅにより連結されている。保持部材４ｄ，４ｅは、棒状の部材、例えば、角柱部材である。すなわち、異なる縦桟３ａに取り付けられた支柱同士であって、縦桟３ａにおける同一高さ位置にその上端部が取り付けられている支柱同士の間が保持部材により連結される。これにより、縦桟３ａの間に、高さ位置を異ならせて２本の保持部材４ｄ，４ｅが設けられる。
【００２０】
各キャスター５（特許請求の範囲における車輪部の一例）は、各短支柱４ａの下端及び各長支柱４ｂの下端にそれぞれ設けられている。これらのキャスター５は、車輪と、車輪を回転自在に軸支する垂直軸とを備える。キャスター５は、車輪の向きが垂直軸周りに自在に変わるように、車輪を支持している。これらのキャスター５により、救護器具兼用看板立て１が、設置面としての地面の上を水平方向に移動可能とされ、また、方向転換が可能とされている。
【００２１】
看板本体２は、例えば矩形の平板状のものであり、その表面には広告などが描かれ又は貼り付けられている。この看板本体２の裏面上側には、フック６が設けられている。図３（ｂ）に示すように、フック６を枠部３の横桟３ｂに引っ掛けて、看板本体２を枠部３上に載置する。これにより、図２に示すように、看板本体２が枠部３により、傾斜した状態で支持される。
【００２２】
なお、この状態において、看板本体２の下部を持ち上げて枠部３から引き離し、更に、看板本体２の背面上側のフック６を枠部３の横桟３ｂから外すことで、看板本体２を枠部３から取り外される。
【００２３】
看板本体２が枠部３に取り付けられていない状態では、両側を縦桟３ａとする枠部３の内側には、縦桟３ａに沿って取り付けられた短支柱４ａ及び長支柱４ｂと、第１保持部材４ｄ及び第２保持部材４ｅのみが存在する空間が形成される。
【００２４】
図４に示すように、着座用の第１シート１１（特許請求の範囲における着座用の部材の一例）が、その上端部が第２保持部材４ｅに取り付けられ、その下端部が第１保持部材４ｄに取り付けられることで、第１保持部材４ｄ及び第２保持部材４ｅに取り付けられている。第１シート１１は、キャンバス地又は合成樹脂等からなる。例えば、第１シート１１の下端部を第１保持部材４ｄに巻き付け、上端部を第２保持部材４ｅに巻き付けた上で、当該上下端部を第１シート１１自体に縫い付け又は接着することで、第１シート１１が第２保持部材４ｅに固定されている。
【００２５】
なお、例えば、第１シート１１の上下端部及び第１保持部材４ｄ及び第２保持部材４ｅにそれぞれの面ファスナーを予め取り付けておき、第１シート１１の上下端部を第１保持部材４ｄ及び第２保持部材４ｅに巻き付けると共に、第１シート１１の上下端部の面ファスナーを、第１保持部材４ｄの面ファスナー及び第２保持部材４ｅの面ファスナーに貼り付けるようにすることで、第１保持部材４ｄ及び第２保持部材４ｅに対して第１シート１１を着脱自在に取り付けることも可能である。なお、面ファスナーに代えて、ホック、スナップボタン等を用いることも可能である。
【００２６】
第１シート１１は、上記面ファスナー又はホック、スナップボタン等により、第１保持部材４ｄ及び第２保持部材４ｅへの取り付け及び取り外しが自在とされている。
【００２７】
また、本実施形態では、第１保持部材４ｄ及び第２保持部材４ｅに、着座用の部材として、第１シート１１が用いられる例を示しているが、着座用の部材は第１シート１１に限られない。例えば、着座用の部材として、通常の椅子等の同様の素材からなるクッションが第１保持部材４ｄ及び第２保持部材４ｅに、固定して又は取り外し可能に、取り付けられていてもよい。
【００２８】
また、図４に示すように、短支柱４ａよりも高い位置に配置されている長支柱４ｂの間には、第２保持部材４ｅよりも更に上側となる部分に、第２シート１２（特許請求の範囲におけるシート部材の一例）が水平方向に架け渡されている。第１シート１１の第１保持部材４ｄへの取付と同様に、第２シート１２は、その両側端部を各長支柱４ｂに巻き付けて縫い付け又は接着するか、或いは、その両側端部に例えば面ファスナーを予め取り付けておき、第２シート１２の両側端部を各長支柱４ｂに巻き付けると共に、面ファスナー同士を貼り付けることで、長支柱４ｂに取り付けられる。
【００２９】
このような着座用の第１シート１１及び背もたれ用の第２シート１２を有する救護器具兼用看板立て１によれば、看板本体２を取り外せば、図５に例を示すように、人（例えばケガ人）が第１シート１１に座ることができ、更に、第２シート１２にもたれ掛かることができる。また、他の人（補助者）は、各長支柱４ｂの上側のハンドル４ｆを両手に持って、人が座っている状態の救護器具兼用看板立て１を押し引き可能である。このとき、脚部４の各キャスター５の車輪は上記のように回転可能であるため、他の人は、人が座っている状態の救護器具兼用看板立て１を容易に移動及び方向転換させることができる。すなわち、救護器具兼用看板立て１は車椅子としても機能する。なお、図５では、救護器具兼用看板立て１に着座した人の背中部分を第２シート１２が支持する例を図示しているが、第２シート１２が支持する箇所はこれに限定されず、例えば着座する人の頭部分（後頭部）等であってもよい。
【００３０】
一方、看板本体２の重量と比較して、人の体重は非常に重いため、車椅子としても用いることが可能な救護器具兼用看板立て１の機械的強度は、看板本体２のみを載置させるに必要な強度よりも大きくして、安全性を確保する必要がある。このため、枠部３を構成する各縦桟３ａ及び横桟３ｂとして、かつ脚部４を構成する各短支柱４ａ、各長支柱４ｂ、各連結桟４ｃ、第１保持部材４ｄ、第２保持部材４ｅ、及び各ハンドル４ｆとして、図６に示すような断面形状の柱状体１６を適用することが好ましい。この柱状体１６は、概ね、内側管状部１６ａ、外側管状部１６ｂ、及び内側管状部１６ａの外側角と外側管状部１６ｂの内側角を連結する４つの連結部１６ｃからなる。柱状体１６は、このように、内部に空間を有しつつ、耐力が必要な箇所には軸組を有することで、軽量でありながら、大きな曲げ強度を確保している。
【００３１】
また、救護器具と兼用しない従来の看板立ての場合は、枠部及び脚部のみを有する構成である。これは、看板本体のみを傾斜を有する姿勢で支持できれば足りるためである。
【００３２】
これに対して、上記実施形態に係る救護器具兼用看板立て１では、車椅子として人が着座した際における重量に対する耐力を確保するために、枠部３には、短支柱４ａ及び長支柱４ｂが取り付けられ、しかも、短支柱４ａ及び長支柱４ｂは、連結桟４ｃ、第１保持部材４ｄ及び第２保持部材４ｅにより補強される、という従来にはない構成を備えている。第１保持部材４ｄ及び第２保持部材４ｅは、第１シート１１及び第２シート１２が取り付けられることで、人の着座を可能にするが、着座時には大きな負荷が救護器具兼用看板立て１に掛かる。しかしながら、救護器具兼用看板立て１では、第１シート１１及び第２シート１２が取り付けられる第１保持部材４ｄ及び第２保持部材４ｅは、上記補強を有して組み付けられている短支柱４ａ及び長支柱４ｂに取り付けられているため、着座時の負荷に耐え得る。さらに、救護器具兼用看板立て１では、２本の短支柱４ａ及び２本の長支柱４ｂの存在により、車椅子として機能するために必要な４つのキャスター５の取り付けも可能となっている。
【００３３】
また、救護器具兼用看板立て１は、看板本体２を取り付けた状態（図２）では、枠部３の内側に配置されている上記第１保持部材４ｄ、第２保持部材４ｅ、第１シート１１、及び第２シート１２は看板本体２に隠れ、看板本体２を正面から視認する人には見えない。このため、救護器具兼用看板立て１によれば、看板本体２の意匠性を害することなく、災害時のために常に救護器具を備えておくことが可能になる。
【００３４】
このように第１実施形態では、通常時には救護器具兼用看板立て１を、看板を起立させるための看板立てとして用いることができ、また緊急時には看板本体２を取り外して、着座用の第１シート１１及び背もたれ用の第２シート１２への着座により、救護器具兼用看板立て１を車椅子として利用することができる。
【００３５】
また、救護器具兼用看板立て１は、通常時は、看板立てとして利用され、不要なときは移動して看板立て用の保管場所に保管可能なので、救護器具用の保管場所を別個に確保する必要がない。更に、第２シート１２については、常時から第２保持部材４ｅに取り付けておかず、車椅子としての使用時に取り付けるようにする場合であっても、小さく折り畳むことができるので、格別な保管場所を必要とせず、また小さなケース等に収納することができる。例えば、脚部４の各連結桟４ｃの上に例えば第２シート１２を畳んだ状態で載置しておく、又は上記ケースを載置しておくことも可能である。
＜第２実施形態＞
【００３６】
図７は、本発明の第２実施形態に係る救護器具兼用看板立てを示す斜視図である。図８は、図７の救護器具兼用看板立てに看板本体を取り付けた状態を示す斜視図である。図９は、図７の救護器具兼用看板立てに看板本体を取り付ける過程を示す斜視図である。
【００３７】
図７乃至図９に示すように第２実施形態の救護器具兼用看板立て２１は、看板本体２が着脱自在に装着される枠部２３と、脚部２４０と、脚部２４０に設けられて、設置面に接する一対のキャスター２５とを備えている。脚部２４０は、第１脚部２４及び第２脚部２８を備える。
【００３８】
枠部２３は、両側の２本の縦桟２３ａ、及び各縦桟２３ａの上端部を連結する横桟２３ｂからなるＵ字型のものである。
【００３９】
第１脚部２４は、枠部２３を傾斜させた状態で設置面上に支持する。第１脚部２４は、枠部２３の各縦桟２３ａの長さ方向中央部に取り付けられた２本の補強部材２４ａ、各補強部材２４ａを連結する連結桟２４ｃ、各補強部材２４ａの下端部が取り付けられて、枠部２３の各縦桟２３ａに接続されたそれぞれの支持部材２４ｄ、及び各支持部材２４ｄを連結する連結桟２４ｈを備えて構成される。
【００４０】
補強部材２４ａは、その上端部が枠部２３の縦桟２３ａに取り付けられている。支持部材２４ｄは、その一端部に補強部材２４ａの下端部が取り付けられている。また、支持部材２４ｄは、その他端部が縦桟２３ａに取り付けられて固定されている。補強部材２４ａは、支持部材２４ｄにより、縦桟２３ａに対する角度θ（図７）が一定に保たれている。補強部材２４ａ及び支持部材２４ｄは、枠部２３と設置面の間に介在して、図７に示すように下端部が設置面に接触して傾斜姿勢となっている枠部２３を支持して、枠部２３を設置面上に起立させる。
【００４１】
第２脚部２８は、その上端部が、枠部２３の２本の縦桟２３ａのそれぞれに回動自在に取り付けられている。すなわち、第２脚部２８は、２本設けられている。第２脚部２８は、縦桟２３ａにおける、補強部材２４ａの取付位置から離れた位置であって、支持部材２４ｄの取付位置とは反対側となる位置に取り付けられている。
【００４２】
各キャスター２５（特許請求の範囲における車輪の一例）は、第１脚部２４の各支持部材２４ｄの一端部２４ｅの最下端と、第２脚部２８の下端部の最下端にそれぞれ設けられている。
【００４３】
看板本体２の裏面上側には、フックが設けられている。図７に示す姿勢とされている救護器具兼用看板立て２１の横桟２３ｂに当該フックを引っ掛けて、看板本体２を枠部２３に重ねると、看板本体２が傾斜した状態で支持される。このように、看板本体２を枠部２３に重ねて、救護器具兼用看板立て１を看板立てとして使用される場合は、第２脚部２８は、図７に示すように、枠部２３の縦桟２３ａから下方に延びる状態とされることが好ましい。
【００４４】
救護器具兼用看板立て２１を移動させるときには、枠部２３の各縦桟２３ａの下端を設置面から浮かせて、各キャスター２５のみを設置面に接触させる。
【００４５】
また、図１０に示すように、第２脚部２８がその上端部を支点として縦桟２３ａに対して直交する姿勢まで回動された状態で、枠部２３の下端部が設置面から離れるように、枠部２３が設置面に平行となる姿勢までキャスター２５を回動軸として回動されたとき、補強部材２４ａ及び支持部材２４ｄがキャスター２５を介して設置面に対して枠部２３を支持し、また、第２脚部２８も設置面に対して枠部２３を支持し、この状態で、キャスター２５が設置面に沿って回転する。従って、第２脚部２８は、縦桟２３ａが当該姿勢であって、縦桟２３ａに対して直交する姿勢のときに、キャスター２５の最下部が設置面に接する長さに設定されている。
【００４６】
なお、第２脚部２８は、このように縦桟２３ａに対して直交する姿勢まで回動したときに、当該直交する姿勢で固定される機構を有している。当該機構には、例えば折り畳み机の脚部等に用いられている、固定及び固定解除が自在な既知のロック機構が適用される。また、各第２脚部２８の間には、各第２脚部２８に対して直交する状態で取り付けられて各第２脚部２８を繋ぐ横桟（図略）が設けられてもよい。
【００４７】
また、枠部２３の両縦桟２３ａ（保持部材）間には、ストレッチャー用のシート２７（図７）が架け渡されている。例えば、シート２７の両側端部及び各縦桟２３ａにそれぞれの面ファスナーを予め取り付けておき、シート２７の両側端部を各縦桟２３ａに巻き付けると共に、シート２７の両側端部の面ファスナーを、各縦桟２３ａの面ファスナーに貼り付けて、シート２７を支持する。また、ストレッチャー用のシート２７は、枠部２３の各縦桟２３ａ対して、取り付け及び取り外しが可能とされ、使用時に取り付け可能になるようにしてもよい。シート２７は、特許請求の範囲における載置部材の一例である。
【００４８】
救護器具兼用看板立て２１が当該ストレッチャー用のシート２７を備えることで、救護器具兼用看板立て２１を図１０の状態にすると、人をシート２７上に乗せて寝かせることができる。また、他の二人の人は、枠部２３の上端部及び下端部を持って、救護器具兼用看板立て２１を設置面上で移動させることができる。
【００４９】
このように第２実施形態では、緊急時には看板本体２を取り外して、担架用のシート２７を装着すれば、図１０に示すように、救護器具兼用看板立て２１をストレッチャーとして用いることができる。
【００５０】
また、救護器具兼用看板立て２１は、救護器具兼用看板立て１の場合と同様に、通常時は、図８に示すように看板立てとして利用され（第２脚部２８は縦桟２４ａに直交する状態ではなく下方に向けた状態とされる）、不要なときは移動して看板立て用の保管場所に保管可能なので、救護器具用の保管場所を別個に確保する必要がない。更に、シート２７については、常時から縦桟２３ａに取り付けておかず、ストレッチャーとしての使用時に取り付けるようにする場合であっても、小さく折り畳むことができるので、格別な保管場所を必要とせず、また小さなケース等に収納することができる。例えば、第１脚部２４の各連結桟２４ｃの上に例えばシート２７を畳んだ状態で載置しておく、又は上記ケースを載置しておくことも可能である。
【００５１】
なお、第２実施形態の救護器具兼用看板立て２１についても、機械的強度を十分に向上させて、安全性を確保するために、枠部２３を構成する各縦桟２３ａ及び横桟２３ｂとして、かつ第１脚部２４を構成する各補強部材２４ａ、連結桟２４ｃ、各支持部材２４ｄとして、図６に示すような断面形状の柱状体１６を適用することが好ましい。
＜第３実施形態＞
【００５２】
図１１は、本発明の第３実施形態に係る救護器具兼用看板立てを示す斜視図である。
【００５３】
図１１に示すように第３実施形態の救護器具兼用看板立て３１は、看板本体２が着脱自在に装着される枠部３３と、枠部３３の背面に取り付けられた背もたれ３２と、枠部３３の背面側に設けられて、枠部３３を傾斜させた状態で設置面上に支持する脚部３４と、枠部３３の下端部に設けられて、設置面に接する一対の車輪３５と、枠部３３の表面側に設けられた開閉板３６（特許請求の範囲における補助部材の一例）とを備えている。
【００５４】
枠部３３は、両側の２本の縦桟３３ａ、各縦桟３３ａを連結する横桟３３ｂ、及び各縦桟３３ａの上側に突設されたそれぞれのハンドル３３ｃからなる。縦桟３３ａは、上下方向に延びて枠部３３の両側部を形成する。横桟３３ｂは、上記２本の縦桟３３ａの上端部を連結する。
【００５５】
脚部３４は、主に、着座部３４ａとサポート部３４ｂからなる。着座部３４ａが枠部３３の各縦桟３３ａの略中央に回動自在に取り付けられている。
【００５６】
サポート部３４ｂは、ヒンジ（図示せず）を介して着座部３４ａに連結されている。サポート部３４ｂは、その上端部が着座部３４ａの下端部に回動自在に取り付けられ、下端部が設置面に接触可能とされている。サポート部３４ｂは、着座部３４ａと直線状に連結して、下端部が設置面に接触した状態となっている枠部３３を傾斜姿勢で支持して設置面上に起立させる。サポート部３４ｂは、着座部３４ａを枠部３３（縦桟３３ａ）に対して直交する姿勢まで回動させた状態のときに、サポート部３４ｂは、着座部３４ａと枠部３３の間に介在して、着座部３４ａを当該姿勢で支持する。
【００５７】
図１４には、着座部３４ａが上記のように枠部３３に対して直交する状態とされ、サポート部３４ｂにより着座部３４ａを支持している状態を示している。着座部３４ａ上には、着座用部材３４１が設けられている。着座用部材３４１は、その上に人が着座可能な耐力を有する部材、例えば、木板又は合成樹脂板等である。着座部３４ａは、特許請求の範囲における着座用脚部の一例である。サポート部３４ｂは、特許請求の範囲における支持脚部の一例である。
【００５８】
また、枠部３３の２本の縦桟３３ａであって、脚部３４が取り付けられている側とは反対側となる部分の下端部には、当該下端部に対して回動自在に設けられ、２本の縦桟３３ａの間に架け渡されて延びる開閉板３６（特許請求の範囲における補助部材の一例）が取り付けられている。
【００５９】
更に、開閉板３６と枠部３３の間に介在して、開閉板３６を枠部３３に対して予め定められた鋭角となる姿勢に保持するストッパー部材３７が開閉板３６の内側に設けられている。ストッパー部材３７は、周知のアームストッパーなどである。ストッパー部材３７は、その上端部が開閉板３６の内側上端部付近に回動自在に取り付けられている。
【００６０】
開閉板３６の下端部は、枠部３３の各縦桟３３ａの下端部表面側に対して、上記回動により開閉自在とされている。図１１においては、開閉板３６が枠部３３に対して閉じられた状態を示している。
【００６１】
各車輪３５は、枠部３３の各縦桟３３ａの下端部に設けられて軸３５ａにより回転自在に支持されている。
【００６２】
看板本体２の裏面上側には、フックが設けられている。このフックを枠部３３の横桟３３ｂに引っ掛けて、看板本体２を枠部３３に重ねると、看板本体２が傾斜した状態で支持される。
【００６３】
着座部３４ａは、サポート部３４ｂと直線上に連結された状態で、上端部側が枠部３３に対して回動することで、図１２に例を示すように、枠部３３に対して着座部３４ａ及びサポート部３４ｂが平行な姿勢になるまで姿勢を変更する。着座部３４ａが閉じられ、着座部３４ａ及びサポート部３４ｂが平坦になって枠部３３に重ね合わさると、背もたれ３２、着座部３４ａ、及びサポート部３４ｂが枠部３３の各縦桟３３ａ上に並んで、救護器具兼用看板立て３１全体が平板状になる。また、枠部３３の各縦桟３３ａには、担架用のシート（図示せず）が取り付けられている。
【００６４】
この場合、図１３に示すように、ケガ人をシート上に乗せて寝かせることができ、救助者二人が、枠部３３の上端部及び下端部を持って、救護器具兼用看板立て３１を持ち運ぶことができる。すなわち、救護器具兼用看板立て３１を担架として利用することができる。
【００６５】
また、図１４に示すように看板本体２を取り外し、着座部３４ａを枠部３３に対して直交する姿勢とさせ、着座部３４ａとサポート部３４ｂをＶ字型に屈曲させた状態で、サポート部３４ｂの下端を枠部３３の各縦桟３３ａに対してボルト及びナット等により固定すると、着座部３４ａが枠部３３の各縦桟３３ａから突出する状態となる。縦桟３３ａに対するサポート部３４ｂの下端の着脱は、ボルト及びナットなどを利用することで自在とされている。
【００６６】
この場合は、図１５に示すように人を着座部３４ａに座らせて背もたれ３２にもたれ掛けさせることができ、他の人が枠部３３の各縦桟３３ａの上側のハンドル３３ｃを両手に持って、救護器具兼用看板立て３１を押し引きし、救護器具兼用看板立て３１を移動させたり方向転換させることができる。このとき、枠部３３の各車輪３５が回転するため、移動及び方向転換が容易である。すなわち、救護器具兼用看板立て３１を車椅子として利用することができる。
【００６７】
更に、図１６に示すように開閉板３６を開いて、ストッパー部材３７を図１６に示す位置まで回動させ、ストッパー部材３７の枠部３３側の端部を枠部３３に固定することで、この開いた状態をストッパー部材３７により保持させることができる。この場合は、図１６に示すように、開閉板３６を階段の上に乗せて、各ハンドル３３ｃを操作することにより、救護器具兼用看板立て３１を大きく傾けることなく階段上で滑らせて昇降させることができる。
【００６８】
なお、本発明は上記実施の形態の構成に限られず種々の変形が可能である。例えば、上記各実施形態に示した救護器具兼用看板立てに対して、補強のために横桟又は縦桟を更に追加する等の設計変更は適宜行われる。また、図１乃至図１６を用いて説明した構成及び処理は、本発明の一実施形態に過ぎず、本発明を当該構成及び処理に限定する趣旨ではない。
【符号の説明】
【００６９】
１、２１、３１      救護器具兼用看板立て
２                  看板本体
３、２３、３３      枠部
４、２４０、３４    脚部
２４                第１脚部
２８                第２脚部
５、２５            キャスター
６                  フック
１１                第１シート
１２                第２シート
３５                車輪
３６                開閉板
【要約】
【課題】緊急時に利用しやすく、汎用性があり、保管するスペースを容易に確保することが可能な救護器具兼用看板立てを提供する。
【解決手段】救護器具兼用看板立て１は、看板本体２が着脱自在に装着される枠部３と、枠部３を設置面から離間させかつ傾斜させた状態で支持する脚部４、脚部４の下端に設けられて、設置面に接する複数のキャスター５と、を備え、看板本体２が取り外された状態では、枠部３の内側に空間が形成され、脚部４には、空間に配置された着座用の第１シート１１を保持する第１保持部材４ｄ及び第２保持部材４ｅが設けられている。
【選択図】図４【図１】
0006039125.tif 000002
【図２】
0006039125.tif 000003
【図３】
0006039125.tif 000004
【図４】
0006039125.tif 000005
【図５】
0006039125.tif 000006
【図６】
0006039125.tif 000007
【図７】
0006039125.tif 000008
【図８】
0006039125.tif 000009
【図９】
0006039125.tif 000010
【図１０】
0006039125.tif 000011
【図１１】
0006039125.tif 000012
【図１２】
0006039125.tif 000013
【図１３】
0006039125.tif 000014
【図１４】
0006039125.tif 000015
【図１５】
0006039125.tif 000016
【図１６】
0006039125.tif 000017